(57)【特許請求の範囲】
【請求項１】
ｍ個（ｍ：自然数）のパスの中からｎ個（ｎ：自然数）のパスを選択するパス選択装置であって、
前記ｍ個のパスの各々について、そのパスの指標値を、異なる複数の平均化時間で平均化することにより、複数の平均指標値を計算する平均指標値計算手段と、
前記平均指標値計算手段により計算された複数の平均指標値を用いて、前記ｍ個のパスの各々についての評価値を計算し、前記ｍ個のパスの中から該評価値の大きいｎ個のパス、または該評価値の小さいｎ個のパスを選択するパス選択手段と
を備えたことを特徴とするパス選択装置。
【請求項２】
請求項１に記載のパス選択装置であって、
前記パス選択手段は、前記異なる複数の平均化時間の各々に関する定数を用いて重み付けし、前記ｍ個のパスの各々について評価値を計算することを特徴とするパス選択装置。
【請求項３】
請求項１または２に記載のパス選択装置であって、
前記パス選択手段は、ｉ番目（１≦ｉ≦ｍ）のパスの評価値Ｃiを以下の式により計算し、該評価値Ｃiの大きいｎ個のパス、または該評価値Ｃiの小さいｎ個のパスを選択することを特徴とするパス選択装置。
【数１】
0003571978.tif 000019
Ｅｉｊ：ｊ番目（１≦ｊ≦ｋ，ｋ：平均化時間の数）の平均化時間におけるｉ番目のパスの平均受信電力値
αｊ，βｊ：ｊ番目の平均化時間に関する定数
ＴＨｊ：ｊ番目の平均化時間における雑音に対するしきい値
【数２】
0003571978.tif 000020
【請求項４】
請求項１または２に記載のパス選択装置であって、
前記パス選択手段は、ｉ番目（１≦ｉ≦ｍ）のパスの評価値Ｃiを以下の式により計算し、該評価値Ｃiの大きいｎ個のパス、または該評価値Ｃiの小さいｎ個のパスを選択することを特徴とするパス選択装置。
0003571978.tif 000021
Ｅｉｊ：ｊ番目（１≦ｊ≦ｋ，ｋ：平均化時間の数）の平均化時間におけるｉ番目のパスの平均受信電力値
αｊ，βｊ：ｊ番目の平均化時間に関する定数
ＴＨｊ：ｊ番目の平均化時間における雑音に対するしきい値
【数３】
0003571978.tif 000022
【請求項５】
請求項１または２に記載のパス選択装置であって、
前記パス選択手段は、ｉ番目（１≦ｉ≦ｍ）のパスの評価値Ｃiを以下の式により計算し、該評価値Ｃiの大きいｎ個のパス、または該評価値Ｃiの小さいｎ個のパスを選択することを特徴とするパス選択装置。
【数４】
0003571978.tif 000023
Ｃ’ｉｊ＝αｊ×（Ｅｉｊ＋βｊ）×Ｕ（Ｅｉｊ−ＴＨｊ）
【数５】
0003571978.tif 000024
Ｅｉｊ：ｊ番目（１≦ｊ≦ｋ，ｋ：平均化時間の数）の平均化時間におけるｉ番目のパスの平均受信電力値
αｊ，βｊ：ｊ番目の平均化時間に関する定数
ＴＨｊ：ｊ番目の平均化時間における雑音に対するしきい値
【数６】
0003571978.tif 000025
【請求項６】
請求項１ないし５のいずれかに記載のパス選択装置であって、前記パスの指標値はパスの受信電力値であることを特徴とするパス選択装置。
【請求項７】
請求項１ないし６のいずれかに記載のパス選択装置と、
前記パス選択装置により選択されたパスをＲＡＫＥ合成するＲＡＫＥ合成手段と
を備え、前記ｍ個のパスは受信信号を分離して生成したパスであることを特徴とする受信装置。
【請求項８】
ｍ個（ｍ：自然数）のパスの中からｎ個（ｎ：自然数）のパスを選択するパス選択方法であって、
前記ｍ個のパスの各々について、そのパスの指標値を、異なる複数の平均化時間で平均化することにより、複数の平均指標値を計算する平均指標値計算ステップと、
前記平均指標値計算ステップにより計算された複数の平均指標値を用いて、前記ｍ個のパスの各々についての評価値を計算し、前記ｍ個のパスの中から該評価値の大きいｎ個のパス、または該評価値の小さいｎ個のパスを選択するパス選択ステップと
を備えることを特徴とするパス選択方法。
【請求項９】
請求項８に記載のパス選択方法であって、
前記パス選択ステップは、前記異なる複数の平均化時間の各々に関する定数を用いて重み付けし、前記ｍ個のパスの各々について評価値を計算することを特徴とするパス選択方法。
【請求項１０】
請求項８または９に記載のパス選択方法であって、
前記パス選択ステップは、ｉ番目（１≦ｉ≦ｍ）のパスの評価値Ｃiを以下の式により計算し、該評価値Ｃiの大きいｎ個のパス、または該評価値Ｃiの小さいｎ個のパスを選択することを特徴とするパス選択方法。
【数７】
0003571978.tif 000026
Ｅｉｊ：ｊ番目（１≦ｊ≦ｋ，ｋ：平均化時間の数）の平均化時間におけるｉ番目のパスの平均受信電力値
αｊ，βｊ：ｊ番目の平均化時間に関する定数
ＴＨｊ：ｊ番目の平均化時間における雑音に対するしきい値
【数８】
0003571978.tif 000027
【請求項１１】
請求項８または９に記載のパス選択方法であって、
前記パス選択ステップは、ｉ番目（１≦ｉ≦ｍ）のパスの評価値Ｃiを以下の式により計算し、該評価値Ｃiの大きいｎ個のパス、または該評価値Ｃiの小さいｎ個のパスを選択することを特徴とするパス選択方法。
0003571978.tif 000028
Ｅｉｊ：ｊ番目（１≦ｊ≦ｋ，ｋ：平均化時間の数）の平均化時間におけるｉ番目のパスの平均受信電力値
αｊ，βｊ：ｊ番目の平均化時間に関する定数
ＴＨｊ：ｊ番目の平均化時間における雑音に対するしきい値
【数９】
0003571978.tif 000029
【請求項１２】
請求項８または９に記載のパス選択方法であって、
前記パス選択ステップは、ｉ番目（１≦ｉ≦ｍ）のパスの評価値Ｃiを以下の式により計算し、該評価値Ｃiの大きいｎ個のパス、または該評価値Ｃiの小さいｎ個のパスを選択することを特徴とするパス選択方法。
【数１０】
0003571978.tif 000030
Ｃ’ｉｊ＝αｊ×（Ｅｉｊ＋βｊ）×Ｕ（Ｅｉｊ−ＴＨｊ）
【数１１】
0003571978.tif 000031
Ｅｉｊ：ｊ番目（１≦ｊ≦ｋ，ｋ：平均化時間の数）の平均化時間におけるｉ番目のパスの平均受信電力値
αｊ，βｊ：ｊ番目の平均化時間に関する定数
ＴＨｊ：ｊ番目の平均化時間における雑音に対するしきい値
【数１２】
0003571978.tif 000032
【請求項１３】
請求項８ないし１２のいずれかに記載のパス選択方法であって、前記パスの指標値はパスの受信電力値であることを特徴とするパス選択方法。
【発明の詳細な説明】
【０００１】
【発明の属する技術分野】
本発明は、ｍ個（ｍ：自然数）のパスの中からｎ個（ｎ：自然数）のパスを選択するパス選択装置および方法、ならびに該装置を備えた受信装置に関する。
【０００２】
【従来の技術】
移動通信環境ではマルチパスフェージングにより振幅および位相（チャネル）変動を受け、受信特性が劣化する。例えばＤＳ−ＣＤＭＡ（Ｄｉｒｅｃｔ  Ｓｅｑｕｅｎｃｅ  −  Ｃｏｄｅ  Ｄｉｖｉｓｉｏｎ  Ｍｕｌｔｉｐｌｅ  Ａｃｃｅｓｓ）方式において、受信信号を遅延時間の異なるマルチパスに分離して同相合成するＲＡＫＥ受信を用いることによりマルチユーザ干渉や熱雑音に対する信号電力比を向上し、伝送特性を改善することができる。しかしながら、マルチユーザ干渉や熱雑音が支配的なサンプル点（パス）の信号を合成すると特性が大幅に劣化するため、ＲＡＫＥダイバーシチ効果が得られるために必要な受信電力、ＳＩＮＲ（希望波信号電力対干渉電力および熱雑音電力比）等を有するパスを精度よく選択して合成することが重要である。ここで、パスとその受信電力等との関係を表すものとして遅延プロファイルがある。
【０００３】
図１は、基地局アンテナから電波を受信し、ビル等で反射や回折を経て到達した電波を受信した場合の概念、および（伝搬）遅延プロファイルの例を示す図である。図１に示した遅延プロファイルにおいて、横軸は移動局に到来する電波の伝搬遅延時間（以下、遅延時間と呼ぶ）であり、縦軸は受信電力である。縦軸は伝搬損失で表すこともできる。また、受信電力や伝搬損失は絶対的なものであっても、相対的なものであってもよい。
【０００４】
遅延プロファイルの▲１▼、▲２▼、▲３▼、・・・の電波は素波（パス）と呼ばれる。遅延時間の最も小さいパス▲１▼は基地局から最短距離で到達したパスであり、遅延時間がそれより大きなパスは遠方の建物や山岳等で反射、回折を経て到達したパスである。
【０００５】
図２は、パスの受信電力の時間的変化例を示す図である。受信装置において受信した信号は、雑音の影響を受けている。すなわち、図２に示すように、受信装置において受信した信号（実線）と、本来の信号（破線）との間にはずれがある。
【０００６】
従来、この雑音による影響を抑圧するために、パスの指標値（受信電力値、ＳＩＮＲ値など）を平均化時間Ｔａｖで平均化した上で遅延プロファイルを作成し、平均化された指標値に基づきパスの選択を行っていた。ここで、平均化時間Ｔａｖとして、特定のモデルにより最適化された固定値を用いていた。より具体的には、雑音の十分な抑圧、伝搬路の変動への追従等を考慮して設定した固定値を用いていた。
【０００７】
【発明が解決しようとする課題】
しかし、平均化時間Ｔａｖとして１つの固定値を設定して、適切なパスを選択することには限界がある。
【０００８】
平均化時間Ｔａｖを大きくすると雑音の抑圧効果は大きくなるが、信号の抑圧効果も大きくなってしまう。すなわち、信号自体が大きく抑圧されてしまう（例えば、図３において一点鎖線で示すようになってしまう）。逆に、平均化時間Ｔａｖを小さくすると信号の抑圧効果は小さくなるが、雑音の抑圧効果も小さくなってしまう。したがって、好ましい平均化時間は雑音の影響の大小によって変わってくる。
【０００９】
図４は、雑音がない場合において、あるパスの本来の信号電力が急激に変化したときの時間に対する受信電力、および時間に対する平均受信電力の例を示す図である。図４では雑音がない理想的な場合を考えているので、受信電力は本来の信号電力に一致する。受信電力が図４（ａ）のように変化した場合の平均受信電力は図４（ｂ）のようになる。平均として、ここでは走行平均（移動平均）（過去ｔ秒間における平均）を用いている。ここで、パス１およびパス２について、平均受信電力を比較することにより、本来の信号電力が大きい１つのパスを選択する場合を考えると、本来の信号電力が急激に変化した後において誤選択が生ずる。すなわち、平均化時間がＴａｖ１の場合には期間ｔ１〜ｔ４において誤った選択をし、平均化時間がＴａｖ２の場合には期間ｔ１〜ｔ２において誤った選択をする。平均化時間がＴａｖ１と長い場合の方が、平均化時間がＴａｖ２と短い場合よりも誤った選択をする期間が長い。
【００１０】
ただし、パスの本来の信号電力がほとんど変化せず、雑音の影響が大きいような場合には、平均化時間がＴａｖ２と短い場合の方が平均化時間がＴａｖ１と長い場合よりも誤選択が多くなる。
【００１１】
図５は、雑音の影響が大きい場合の例を示す図である。平均化時間がＴａｖ２と短い場合には線（ｉｉ）および線（ｉｖ）のようになり、平均化時間がＴａｖ１と長い場合には線（ｉ）および線（ｉｉｉ）のようになる。平均化時間がＴａｖ２と短い場合には、期間ｔ１１〜ｔ１２、期間ｔ１３〜ｔ１４、期間ｔ１５〜ｔ１６、期間ｔ１７〜ｔ１８、および期間ｔ１９〜ｔ２０で誤選択するが、平均化時間がＴａｖ１と長い場合には誤選択しない。
【００１２】
したがって、複数の平均化時間を用いて計算した複数の平均指標値を適切に組み合わせ用いることにより、より適切なパス選択を行えるものと考えられる。
【００１３】
ここで、図４および図５で用いた平均化時間Ｔａｖ１およびＴａｖ２（＜Ｔａｖ１）について考える。図４では平均化時間Ｔａｖ２を用いて計算した平均受信電力値（平均指標値）を用いた方がよい結果が得られ、図５では平均化時間Ｔａｖ１を用いて計算した平均受信電力値を用いた方がよい結果が得られる。
【００１４】
これに対し、複数の平均化時間Ｔａｖ１およびＴａｖ２を用いて計算した複数の平均受信電力値を適切に組み合わせことにより、図４において、図６の線（ｉｖ）（線（ｉ）および線（ｉｉ）に漸近する線）で示すような平均受信電力値が得られるようにし、かつ、図５において平均化時間Ｔａｖ１を用いて計算した平均受信電力値が得られるようにすることができる。したがって、より適切なパス選択を行うことができる。
【００１５】
そこで、本発明の目的は、ｍ個のパスの中からｎ個のパスを選択する場合において、パスの指標値を、異なる複数の平均化時間で平均化することにより、複数の平均指標値を計算し、該複数の平均指標値に基づき、パスを選択することにより、パスの選択をより適切に行えるようにすることである。
【００１６】
【課題を解決するための手段】
上記目的を達成するために、請求項１に記載の発明は、ｍ個（ｍ：自然数）のパスの中からｎ個（ｎ：自然数）のパスを選択するパス選択装置であって、前記ｍ個のパスの各々について、そのパスの指標値を、異なる複数の平均化時間で平均化することにより、複数の平均指標値を計算する平均指標値計算手段と、前記平均指標値計算手段により計算された複数の平均指標値を用いて、前記ｍ個のパスの各々についての評価値を計算し、前記ｍ個のパスの中から該評価値の大きいｎ個のパス、または該評価値の小さいｎ個のパスを選択するパス選択手段とを備えたことを特徴とする。
請求項２に記載の発明は、請求項１に記載のパス選択装置であって、前記パス選択手段は、前記異なる複数の平均化時間の各々に関する定数を用いて重み付けし、前記ｍ個のパスの各々について評価値を計算することを特徴とする。
【００１７】
請求項３に記載の発明は、請求項１または２に記載のパス選択装置であって、前記パス選択手段は、ｉ番目（１≦ｉ≦ｍ）のパスの評価値Ｃiを以下の式により計算し、該評価値Ｃiの大きいｎ個のパス、または該評価値Ｃiの小さいｎ個のパスを選択することを特徴とする。
【数１３】
0003571978.tif 000002
Ｅｉｊ：ｊ番目（１≦ｊ≦ｋ，ｋ：平均化時間の数）の平均化時間におけるｉ番目のパスの平均受信電力値
αｊ，βｊ：ｊ番目の平均化時間に関する定数
ＴＨｊ：ｊ番目の平均化時間における雑音に対するしきい値
【数１４】
0003571978.tif 000003
【００１８】
請求項４に記載の発明は、請求項１または２に記載のパス選択装置であって、前記パス選択手段は、ｉ番目（１≦ｉ≦ｍ）のパスの評価値Ｃiを以下の式により計算し、該評価値Ｃiの大きいｎ個のパス、または該評価値Ｃiの小さいｎ個のパスを選択することを特徴とする。
0003571978.tif 000004
Ｅｉｊ：ｊ番目（１≦ｊ≦ｋ，ｋ：平均化時間の数）の平均化時間におけるｉ番目のパスの平均受信電力値
αｊ，βｊ：ｊ番目の平均化時間に関する定数
ＴＨｊ：ｊ番目の平均化時間における雑音に対するしきい値
【数１５】
0003571978.tif 000005
請求項５に記載の発明は、請求項１または２に記載のパス選択装置であって、前記パス選択手段は、ｉ番目（１≦ｉ≦ｍ）のパスの評価値Ｃiを以下の式により計算し、該評価値Ｃiの大きいｎ個のパス、または該評価値Ｃiの小さいｎ個のパスを選択することを特徴とする。
【数１６】
0003571978.tif 000006
Ｃ’ｉｊ＝αｊ×（Ｅｉｊ＋βｊ）×Ｕ（Ｅｉｊ−ＴＨｊ）
【数１７】
0003571978.tif 000007
Ｅｉｊ：ｊ番目（１≦ｊ≦ｋ，ｋ：平均化時間の数）の平均化時間におけるｉ番目のパスの平均受信電力値
αｊ，βｊ：ｊ番目の平均化時間に関する定数
ＴＨｊ：ｊ番目の平均化時間における雑音に対するしきい値
【数１８】
0003571978.tif 000008
請求項６に記載の発明は、請求項１ないし５のいずれかに記載のパス選択装置であって、前記パスの指標値はパスの受信電力値であることを特徴とする。
【００１９】
請求項７に記載の発明は、請求項１ないし６のいずれかに記載のパス選択装置と、前記パス選択装置により選択されたパスをＲＡＫＥ合成するＲＡＫＥ合成手段とを備え、前記ｍ個のパスは受信信号を分離して生成したパスであることを特徴とする。
【００２０】
請求項８に記載の発明は、ｍ個（ｍ：自然数）のパスの中からｎ個（ｎ：自然数）のパスを選択するパス選択方法であって、前記ｍ個のパスの各々について、そのパスの指標値を、異なる複数の平均化時間で平均化することにより、複数の平均指標値を計算する平均指標値計算ステップと、前記平均指標値計算ステップにより計算された複数の平均指標値を用いて、前記ｍ個のパスの各々についての評価値を計算し、前記ｍ個のパスの中から該評価値の大きいｎ個のパス、または該評価値の小さいｎ個のパスを選択するパス選択ステップとを備えることを特徴とする特徴とする。
請求項９に記載の発明は、請求項８に記載のパス選択方法であって、前記パス選択ステップは、前記異なる複数の平均化時間の各々に関する定数を用いて重み付けし、前記ｍ個のパスの各々について評価値を計算することを特徴とする。
【００２１】
請求項１０に記載の発明は、請求項８または９に記載のパス選択方法であって、前記パス選択ステップは、ｉ番目（１≦ｉ≦ｍ）のパスの評価値Ｃiを以下の式により計算し、該評価値Ｃiの大きいｎ個のパス、または該評価値Ｃiの小さいｎ個のパスを選択することを特徴とする。
【数１９】
0003571978.tif 000009
Ｅｉｊ：ｊ番目（１≦ｊ≦ｋ，ｋ：平均化時間の数）の平均化時間におけるｉ番目のパスの平均受信電力値
αｊ，βｊ：ｊ番目の平均化時間に関する定数
ＴＨｊ：ｊ番目の平均化時間における雑音に対するしきい値
【数２０】
0003571978.tif 000010
【００２２】
請求項１１に記載の発明は、請求項８または９に記載のパス選択方法であって、前記パス選択ステップは、ｉ番目（１≦ｉ≦ｍ）のパスの評価値Ｃiを以下の式により計算し、該評価値Ｃiの大きいｎ個のパス、または該評価値Ｃiの小さいｎ個のパスを選択することを特徴とする。
0003571978.tif 000011
Ｅｉｊ：ｊ番目（１≦ｊ≦ｋ，ｋ：平均化時間の数）の平均化時間におけるｉ番目のパスの平均受信電力値
αｊ，βｊ：ｊ番目の平均化時間に関する定数
ＴＨｊ：ｊ番目の平均化時間における雑音に対するしきい値
【数２１】
0003571978.tif 000012
請求項１２に記載の発明は、請求項８または９に記載のパス選択方法であって、前記パス選択ステップは、ｉ番目（１≦ｉ≦ｍ）のパスの評価値Ｃiを以下の式により計算し、該評価値Ｃiの大きいｎ個のパス、または該評価値Ｃiの小さいｎ個のパスを選択することを特徴とする。
【数２２】
0003571978.tif 000013
Ｃ’ｉｊ＝αｊ×（Ｅｉｊ＋βｊ）×Ｕ（Ｅｉｊ−ＴＨｊ）
【数２３】
0003571978.tif 000014
Ｅｉｊ：ｊ番目（１≦ｊ≦ｋ，ｋ：平均化時間の数）の平均化時間におけるｉ番目のパスの平均受信電力値
αｊ，βｊ：ｊ番目の平均化時間に関する定数
ＴＨｊ：ｊ番目の平均化時間における雑音に対するしきい値
【数２４】
0003571978.tif 000015
請求項１３に記載の発明は、請求項８ないし１２のいずれかに記載のパス選択方法であって、前記パスの指標値はパスの受信電力値であることを特徴とする。
【００２３】
以上の構成によれば、ｍ個のパスの中からｎ個のパスを選択する場合において、パスの選択をより適切に行うことができる。
【００２４】
【発明の実施の形態】
以下、図面を参照しつつ、本発明の実施の形態について説明する。
【００２５】
図７は、本発明の実施形態に係る受信装置の構成例を示す図である。本実施形態に係る受信装置は、パス選択部１０、アンテナ２０、逆拡散符号発生部２２、２８、乗算部２４、３０、検出タイミング設定部２６、およびＲＡＫＥ合成部３２を備える。
【００２６】
パス選択部１０は遅延プロファイル作成部１２および選択処理実行部１４を有する。パス選択部１０は、ハードウェアとして実現することもできるし、ＤＳＰ（Ｄｉｇｉｔａｌ  Ｓｉｇｎａｌ  Ｐｒｏｃｅｓｓｏｒ）等によりソフトウェアとして実現することもできる。
【００２７】
アンテナ２０を介して受信された信号は、乗算部２４において、逆拡散符号発生部２２により発生された逆拡散符号と乗算され、逆拡散され、パスは分離される。分離されたパスの数をｍ個（ｍ：自然数）とする。
【００２８】
パス選択部１０の遅延プロファイル作成部１２は、分離された各パスの受信電力値を、異なる複数の平均化時間Ｔａｖ１〜Ｔａｖｋ（ｋ：２以上の自然数）で平均化することにより、複数の遅延プロファイルを作成する。選択処理実行部１４では、作成された遅延プロファイルの平均受信電力値に基づき、ｍ個のパスの中からｎ個（ｎ：自然数）のパスを選択する。
【００２９】
検出タイミング設定部２６は、選択処理部１４で選択されたパスを考慮して検出タイミングを設定する。逆拡散符号発生部２８は、検出タイミング設定部２６で設定された検出タイミングに従い、逆拡散符号を発生し、アンテナ２０を介して受信された信号を乗算部３０で逆拡散し、受信された信号のうち、選択処理部１４で選択されたパスのみがＲＡＫＥ合成部３２に入力されるようにする。ＲＡＫＥ合成部３２では入力されたパスのＲＡＫＥ合成を行う。ＲＡＫＥ合成された信号には、その後デインタリーブ処理等がなされ、最終的に復調されたデータが得られる。
【００３０】
図８は、遅延プロファイルの作成処理例を示すフローチャートである。この処理は遅延プロファイル作成部１２で行われる。ここでは、ｋ個の異なる複数の平均化時間で平均化を行うものとする。ステップＳ１０１でｊに１を、ステップＳ１０２でｉに１を設定する。ステップＳ１０３でｉ番目のパスの受信電力値をｊ番目の平均化時間Ｔａｖｊで平均化して平均受信電力値Ｅｉｊを計算する。平均化は厳密ではないある程度大まかな平均化でもよい。また、平均化は走行平均（移動平均）をとって行ってもよいし、それ以外の平均をとって行ってもよい。ステップＳ１０４でｉに１を加算し、ステップＳ１０５でｉが分離したパス数ｍ以下であればステップＳ１０３に戻り、ｍより大きければステップＳ１０６に進む。ステップＳ１０２〜Ｓ１０５の処理により、平均化時間Ｔａｖｊによる遅延プロファイルを作成することができる。ステップＳ１０６ではｊに１を加算し、ステップＳ１０７でｊが平均化時間の数ｋ以下であればステップＳ１０２に戻り、ｋより大きければ、すべての平均化時間について遅延プロファイルを作成したことになるので終了とする。
【００３１】
選択処理実行部１４で行うパスの選択方法としては種々の方法が考えられる。例えば、ｉ番目（１≦ｉ≦ｍ）のパスの評価値Ｃｉを以下の式により計算し、該評価値Ｃｉの大きいｎ個のパス、または該評価値Ｃｉの小さいｎ個のパスを選択する方法が考えられる。
【００３２】
Ｃｉ＝ｆ（Ｅｉ１，Ｅｉ２，・・・，Ｅｉｋ）
Ｅｉｊ：ｊ番目（１≦ｊ≦ｋ，ｋ：平均化時間の数）の平均化時間におけるｉ番目のパスの平均指標値
より具体的には例えば、以下のような方法が挙げられる。
【００３３】
（パス選択方法例１）
ｉ番目（１≦ｉ≦ｍ）のパスの評価値Ｃｉを以下の式により計算して、評価値Ｃｉの大きいｎ個のパスを選択する方法が考えられる。
【００３４】
【数１】
0003571978.tif 000016
【００３５】
αｊおよびβｊはｊ番目の平均化時間に関する定数であり、これらを用いることにより、各平均化時間における平均受信電力値に対して重み付け等を行うことができる。ＴＨｊはｊ番目の平均化時間における雑音に対するしきい値であり、雑音をパスと誤認しないためのしきい値である。Ｅｉｊ−ＴＨｊが０未満の場合、Ｅｉｊについては０である場合と同様に扱われる。
【００３６】
図９は、３つの異なる平均化時間Ｔａｖ１、Ｔａｖ２（＜Ｔａｖ１）、Ｔａｖ３（＜Ｔａｖ２）により計算した遅延プロファイルの例を示す図である。図９の遅延プロファイルに基づき上記評価値Ｃｉを計算した場合について説明する。ただし、単位は省略する。
【００３７】
ｋ＝３であり、ｎ＝２、αｊ＝１、β１＝２、β２＝１、β３＝０、ＴＨｊ＝１．５とする。ここでは、平均化時間が長い場合の方が雑音抑圧効果が大きいことから、平均化時間が長い場合の平均受信電力値を重視し、β１＝２、β２＝１、β３＝０としている。
【００３８】
１番目のパス（パス▲１▼）の評価値Ｃ１を計算すると、Ｅ１１＝３、Ｅ１２＝５、Ｅ１３＝６であるから、Ｃ１＝（３＋２）＋（５＋１）＋（６＋０）＝１７となる。２番目のパス（パス▲２▼）、３番目のパス（パス▲３▼）および４番目のバス（パス▲４▼）についても同様にＣ２、Ｃ３およびＣ４を計算すると、Ｅ２１＝３、Ｅ２２＝６、Ｅ２３＝４、Ｅ３１＝６、Ｅ３２＝３、Ｅ３３＝１、Ｅ４１＝４、Ｅ４２＝３、Ｅ４３＝５であるから、Ｃ２＝１６、Ｃ３＝１２、Ｃ４＝１５となる。ここで、Ｅ３３−ＴＨ３＝−０．５であるから、Ｅ３３については０である場合と同様に扱われる。したがって、Ｃ１〜Ｃ４の中ではＣ１とＣ２が大きく、１番目のパスと２番目のパスが選択されることになる。
【００３９】
（パス選択方法例２）
ｉ番目（１≦ｉ≦ｍ）のパスの評価値Ｃｉを以下の式により計算して、評価値Ｃｉの大きいｎ個のパスを選択する方法が考えられる。
【００４０】
【数２】
0003571978.tif 000017
【００４１】
図９の遅延プロファイルに基づき上記評価値Ｃｉを計算した場合について説明する。パス選択方法例１と同様に、ｎ＝２、αｊ＝１、β１＝２、β２＝１、β３＝０、ＴＨｊ＝１．５とする。
【００４２】
１番目のパスの評価値Ｃ１を計算すると、Ｃ１＝ｍａｘ｛（３＋２），（５＋１），（６＋０）｝＝６となる。２番目〜４番目のバスについても同様にＣ２〜Ｃ４を計算すると、Ｃ２＝７、Ｃ３＝８、Ｃ４＝６となる。したがって、Ｃ１〜Ｃ４の中ではＣ２とＣ３が大きく、２番目のパスと３番目のパスが選択されることになる。
【００４３】
（パス選択方法例３）
ｉ番目（１≦ｉ≦ｍ）のパスの評価値Ｃｉを以下の式により計算して、評価値Ｃｉの大きいｎ個のパスを選択する方法が考えられる。
【００４４】
【数３】
0003571978.tif 000018
【００４５】
この方法は、各平均化時間において上位ｎ位以内に入った回数の多いパスを選択する方法である。これにより、各平均化時間による平均化において常に上位にあるような安定したパスを選択するようにすることができる。
【００４６】
図９の遅延プロファイルに基づき上記評価値Ｃｉを計算した場合について説明する。パス選択方法例１と同様に、ｎ＝２、αｊ＝１、β１＝２、β２＝１、β３＝０、ＴＨｊ＝１．５とする。
【００４７】
Ｃ’１１〜Ｃ’４３について計算すると、Ｃ’１１＝５、Ｃ’１２＝６、Ｃ’１３＝６、Ｃ’２１＝５、Ｃ’２２＝７、Ｃ’２３＝４、Ｃ’３１＝８、Ｃ’３２＝４、Ｃ’３３＝０、Ｃ’４１＝６、Ｃ’４２＝４、Ｃ’４３＝５となる。
【００４８】
１番目の平均化時間における上位２位はＣ’３１とＣ’４１であり、２番目の平均化時間における上位２位はＣ’１２とＣ’２２であり、３番目の平均化時間における上位２位はＣ’１３とＣ’４３である。したがって、１番目のパスの評価値Ｃ１を計算すると、Ｃ１＝０＋１＋１＝２となる。２番目〜４番目のバスについても同様にＣ２〜Ｃ４を計算すると、Ｃ２＝０＋１＋０＝１、Ｃ３＝１＋０＋０＝１、Ｃ４＝１＋０＋１＝２となる。したがって、Ｃ１〜Ｃ４の中ではＣ１とＣ４が大きく、１番目のパスと４番目のパスが選択されることになる。
【００４９】
パスを選択する方法としては、以上の例の他にも多くの方法が考えられる。種々のパラメータによる種々のパス選択方法で実験を行い、最も良い結果が得られたパラメータおよびパス選択方法を用いるようにしてもよい。
【００５０】
（その他）
本実施形態においては、パスの指標値としてパスの受信電力値を用いたが、ＳＩＮＲ等他の指標値を用いることもできる。
【００５１】
また、以上で説明したパス選択方法は、受信信号を分離して生成したパス以外にも適用することができる。例えば、空間的に離した複数のアンテナでダイバーシチ受信した場合のパス選択に対しても適用することができる。
【００５２】
図１０は、ダイバーシチ受信を行う受信装置の例を示す図である。受信装置４０は、上述のパス選択部１０と同様のパス選択部１０’を備える。受信装置４０は、複数のアンテナ４５−１、４５−２、・・・、４５−ｍで受信した信号（パス）をパス選択部１０’で選択する。
【００５３】
【発明の効果】
以上説明したように本発明によれば、ｍ個のパスの中からｎ個のパスを選択する場合において、パスの選択をより適切に行うことができる。
【図面の簡単な説明】
【図１】基地局アンテナから電波を受信し、ビル等で反射や回折を経て到達した電波を受信した場合の概念、および（伝搬）遅延プロファイルの例を示す図である。
【図２】パスの受信電力の時間的変化例を示す図である。
【図３】信号の抑圧効果が大きい場合の例を示す図である。
【図４】雑音がない場合において、あるパスの本来の信号電力が急激に変化したときの時間に対する受信電力、および時間に対する平均受信電力の例を示す図である。
【図５】雑音の影響が大きい場合の例を示す図である。
【図６】雑音がない場合において、あるパスの本来の信号電力が急激に変化したときの時間に対する平均受信電力の例を示す図である。
【図７】本発明の実施形態に係る受信装置の構成例を示す図である。
【図８】遅延プロファイルの作成処理例を示すフローチャートである。
【図９】３つの異なる平均化時間により計算した遅延プロファイルの例を示す図である。
【図１０】ダイバーシチ受信を行う受信装置の例を示す図である。
【符号の説明】
１０、１０’  パス選択部
１２  遅延プロファイル作成部
１４  選択処理実行部
２０、４５−１、４５−２、４５−ｎ  アンテナ
２２、２８  逆拡散符号発生部
２４、３０  乗算部
２６  検出タイミング設定部
３２  ＲＡＫＥ合成部
４０  受信装置
【図１】
0003571978.tif 000033
【図２】
0003571978.tif 000034
【図３】
0003571978.tif 000035
【図４】
0003571978.tif 000036
【図５】
0003571978.tif 000037
【図６】
0003571978.tif 000038
【図７】
0003571978.tif 000039
【図８】
0003571978.tif 000040
【図９】
0003571978.tif 000041
【図１０】
0003571978.tif 000042